(57)【要約】【課題】本発明は、再度洗浄可能なアルミ繊維より成る繊維構造体と保持枠との組み合わせにより針金係止部が不必要とするレンジフード用フィルタを提供することを目的とするものである。【解決手段】本発明は、アルミニウム繊維を空隙率の高い状態でアルミニウム系エキスパンドメタル３により被包したフィルタ１の各コーナー６にコーナー金具７を設け、このコーナー金具７間に保持枠９を渡設した構成とする。【選択図】        図６
2004218896.tif 000002
【特許請求の範囲】
【請求項１】
アルミニウム繊維から成る不織布を、その両面よりアルミニウム系エキスパンドメタルで包み、かつ外周部を圧着したレンジフード用フィルタにおいて、
フィルタの各コーナーを冠設するためのコーナー金具と、
フィルタの各辺を遊嵌状に挟んだ状態でコーナー金具とが重合される端部同士が接合される保持枠とを備える
ことを特徴とするレンジフード用フィルタ。
【請求項２】
前記コーナー金具に接合用穴が開孔され、該コーナー金具と保持枠の端部同士とが重合された状態でエンボス加工により接合される
ことを特徴とする請求項１記載のレンジフード用フィルタ。
【請求項３】
前記コーナー金具と保持枠の端部同士との接合が着脱自在とされる
ことを特徴とする請求項１記載のレンジフード用フィルタ。
【発明の詳細な説明】
【０００１】
【発明の属する技術分野】
本発明は、レンジフード用フィルタに関する。詳しくは一般家庭や飲食店のキッチン等に設置されるレンジフードの開口部に取り付けられるレンジフード用フィルタに係るものである。
【０００２】
【従来の技術】
レンジフードの開口に取付けられるフィルタは、空気中の油分や塵などの付着で汚れると交換されることから、交換作業簡便なようにレンジフードの開口に着脱できるような構成とされている。
【０００３】
このレンジフードのフィルタ交換を専門業者が行うようなシステムの場合、フィルタは専用の保持枠で保持された状態でレンジフードへ取付けられ、汚れると保持枠と共に取外して、新たに専用の保持枠で保持されたフィルタによって交換される。
【０００４】
このようなレンジフード用フィルタとして図１０（Ａ）、（Ｂ）に示す構造のものが知られている。アルミニウムの押し出し成形品の４枚の枠板１０１、１０２を各々端部を重ねて矩形に組み、各枠板１０１、１０２の重ねた端部同士を据え込みカシメで結合することで矩形の保持枠１０３を構成する。
【０００５】
そして保持枠１０３の背面にフィルタ１０４を針金枠１０５で押えた状態で針金枠１０５を弾性変形させて針金枠１０５の両端の突出曲部１０６を枠板１０１の背面に枠板の全長に亘り一体に形成された針金係止部１０７に係止させて、保持枠１０３にフィルタ１０４と針金枠１０５を取付けた構造のものがある。（例えば、特許文献１参照。）
【０００６】
【特許文献１】
特開平１１−１０８４０８号公報
【０００７】
【発明が解決しようとする課題】
ところでこのようなレンジフード用フィルタは、保持枠１０３に係止されるフィルタ１０４はガラス繊維などを織り込んで形成されたものであり、交換の際にはフィルタは廃棄され、保持枠のみが洗浄され、再度使用されることとなる。
【０００８】
従って保持枠の前後面にフィルタを挟んで係止する針金係止部が必要となり、洗浄の際に非常に手間がかかる問題がある。
【０００９】
又フィルタは交換の都度、廃棄されることが多くこれらを回収した多量のフィルタの処分に手間およびコストが嵩む問題がある。
【００１０】
本発明は、以上の点に鑑みて創案されたものであって、再度洗浄可能なアルミ繊維より成る不織布と保持枠との組み合わせにより針金係止部が不必要とするレンジフード用フィルタを提供することを目的とするものである。
【００１１】
【課題を解決するための手段】
上記目的を達成するために、本発明に係るレンジフード用フィルタは、アルミニウム繊維から成る不織布を、その両面よりアルミニウム系エキスパンドメタルで包み、かつ外周部を圧着したレンジフード用フィルタにおいて、フィルタの各コーナーを冠設するためのコーナー金具と、フィルタの各辺を遊嵌状に挟んだ状態でコーナー金具と重合する端部同士が接合される保持枠とを備える。
【００１２】
ここで、アルミニウム繊維から成る不織布を、その両面よりアルミニウム系エキスパンドメタルで包むことにより、フィルタ単体としての強度および空隙率を保持することが可能となる。
【００１３】
また、洗浄しても型崩れや金属繊維の抜け落ちなどが無く、再生使用が可能となり、更にコーナー金具および保持枠とがボルトなどの締結部材によって直接に取り付けられていないために、フィルタの取り替えが容易に行える構造とされるものである。
【００１４】
【発明の実施の形態】
以下、本発明の実施の形態を図面を参酌しながら説明し、本発明の理解に供する。
【００１５】
図１に、本発明を適用したフィルタの一例を説明するための平面図、図２に図１における断面説明図を示す。ここで示すフィルタ１は、溶融紡糸法により得られたアルミニウム繊維２を空隙を有した状態で堆積させて、マット形態を有する不織布状の繊維構造体３を形成する。
【００１６】
次に前記アルミニウム繊維２の表面に、珪素化合物をスプレイ塗布してニ酸化珪素の薄膜を形成し、更に繊維構造体３の両面に板厚が０．３ｍｍ、メッシュ寸法が４×８ｍｍのアルミニウム系エキスパンドメタル４を配置し、繊維構造体３の空隙率を保持した状態で、外周部を圧着して各辺部５を形成される構造とする。
【００１７】
ここで、アルミニウム繊維の表面に塗布される珪素化合物は、珪素化合物を主成分とする耐酸化性を有する接着性物質によって表面処理をして耐酸化性の薄膜を形成し、物理的特性および化学的強度を高めるものであり、同様な特性を有するものであれば必ずしも珪素化合物による表面処理をする必要性はない。
【００１８】
また、前記アルミニウム繊維とアルミニウム系エキスパンドメタルとを圧着し、更にその内部において部分的に圧着あるいは接着剤又は粘着テープによって固定することにより、フィルタ単体としての強度を高める構成となる。
【００１９】
更に、アルミニウム繊維の不織布を保護する保護材としては必ずしもアルミニウム系エキスパンドメタルによる必要性は無く、通気性を阻害せず、アルミニウム繊維の不織布の立体構造を保護できるものであれば、金属網やパンチングメタルなどであっても構わない。
【００２０】
次に図３に示すように、フィルタ１の各コーナー６にコーナー金具７をそれぞれ設けるものである。このコーナー金具７は図４の展開図で示すように、左右対称に直角状に形成され、かつ接合用穴１２が貫設されるステンレス板を、図５に示すように互いに一定間隔を持って重ねるように折り曲げることによってコーナー金具７を形成するものである。
【００２１】
従って図６に示すようにフィルタのコーナーに合わせて直角状に形成され、かつフィルタ１の各辺部５の厚さ以上の溝部８を有する構造体とされるものである。
このコーナー金具７の溝部８をフィルタの各コーナーに外挿することによって、コーナー金具７の着脱が自在に行える構成とするものである。
【００２２】
更に図７に示すように、各コーナー金具７間に保持枠９を渡設するものであり、この保持枠９は図８に示すように、アルミニウムの押出し型材によって全長がフィルタ１の各辺部５長さとされ、かつその全長に渡ってコーナー金具厚さよりその幅長さを大とした断面コの字形状の嵌入溝部１０が形成された構成とするものである。
【００２３】
従ってフィルタ１の各辺部５を保持枠９の嵌入溝部１０によって挟むような状態で、その両端をコーナー金具７を嵌入溝部１０内に嵌入する。
【００２４】
そして図９に示すようにコーナー金具７の接合穴１２と保持枠９とが重なり合う壁面をエンボス加工によって接合穴１２内へ膨出状に突出形成することによりコーナー金具７と保持枠９との接合が可能となる。
【００２５】
これにより保持枠はコーナー金具間に渡設され、更にコーナー金具はフィルタの各コーナーに被せることにより保持枠およびコーナー金具はフィルタにネジなどの締結部材による直接的な結合によらないで間接的に装着することが可能となる。
【００２６】
また、コーナー金具と保持枠との接合を解除する場合には、接合されるコーナー金具のステンレス板を押し下げることによって保持枠と接合穴との係合が容易に解除されることとなる。
【００２７】
また、図中１１はレンジフードの開口部に取付けられる際に、その開口部に係止するためのフック部を示すものである。
【００２８】
ここで、コーナー金具と保持枠との接合は必ずしもコーナー金具に接合穴を設けて保持枠とをエンボス加工によって接合する必要性は無く、例えばコーナー金具の壁面を膨出状に突設し、保持枠の壁面に接合穴を設けて互いに係合させる機構など接合が容易に行え、かつその接合の解除をも容易に行える機構であればいかなる機構であっても良い。
【００２９】
以上の構成より成る本発明では、アルミニウム繊維構造体を空隙率の高い状態でエキスパンドメタルにより被包することにより、フィルタ単体としての強度および空隙率を保持することが可能となり、これによりフィルタ自体をレンジフードに取付けることができる強度を得ることが可能となる。
【００３０】
また、洗浄時にはエキスパンドメタルにより型崩れや金属繊維の抜け落ちなどが無く、繰り返し使用が可能となる。
【００３１】
更にフィルタの廃棄による取り替え時は、保持枠およびコーナー金具がフィルタの各辺部にネジなどによって直接的に取付けられていないために、その取外しおよび取付けが非常に容易に行える効果を得るものである。
【００３２】
【発明の効果】
以上述べて来た如く本発明によれば、アルミニウム繊維を空隙率の高い状態でエキスパンドメタルにより被包することによりフィルタ自体をレンジフードに取付けることが可能となり、ガラス繊維などを織り込んで形成されたフィルタのように係止金具によって保持する必要は無く、かつ廃棄せずに幾度も洗浄再生し、繰り返し使用が可能となる。
【００３３】
また、レンジフードに取付けるためにフィルタを支持する保持枠がコーナー金具との組み合わせによって取付けることが可能となり、部品点数の減少による製造コストの低減化および着脱作業の効率化が図れるものである。
【００３４】
更に、繰り返し使用された後に廃棄されるアルミニウム繊維より成るフィルタは再生工場において溶融されて再び二次製品としてリサイクル使用が可能となる。
【図面の簡単な説明】
【図１】本発明を適用したフィルタの一例を説明するための平面図である。
【図２】図１における断面説明図である。
【図３】本発明を適用したフィルタの各コーナーにコーナー金具を設けた状態を示す説明図である。
【図４】本発明を適用したコーナー金具の一例を示す展開説明図である。
【図５】本発明を適用したコーナー金具の一例を示す正面説明図である。
【図６】図５における側面説明図である。
【図７】図３におけるコーナー金具との間に保持枠を渡設した状態を示す説明図である。
【図８】本発明を適用した保持枠の一例を示す断面説明図である。
【図９】本発明を適用したコーナー金具と保持枠との接合機構の一例を示す説明図である。
【図１０】図１０（Ａ）及び（Ｂ）は特許文献１におけるフィルタ装置における背面図および要部拡大断面図を示す。
【符号の説明】
１      フィルタ
２      アルミニウム繊維
３      繊維構造体
４      アルミニウム系エキスパンドメタル
５      辺部
６      コーナー
７      コーナー金具
８      溝部
９      保持枠
１０    嵌入溝部
１１    フック部
１２    接合用穴
【図１】
2004218896.tif 000003
【図２】
2004218896.tif 000004
【図３】
2004218896.tif 000005
【図４】
2004218896.tif 000006
【図５】
2004218896.tif 000007
【図６】
2004218896.tif 000008
【図７】
2004218896.tif 000009
【図８】
2004218896.tif 000010
【図９】
2004218896.tif 000011
【図１０】
2004218896.tif 000012